(57)【要約】      （修正有）【課題】使用時に良好に伸縮してフィット感を向上させることができるバンドを提供する。【解決手段】バンド駒３に連結駒４をピン部材によって順次連結したバンド１であって、バンド駒の両側部には、連結駒の一側部をピン部材によって取り付けるための一対の駒取付部６が設けられ、連結駒は、一対の駒取付部の一方にピン部材によってバンド駒の連結方向に沿って移動可能に取り付けられた駒本体８と、この駒本体にピン部材によって取り付けられ、かつバンド駒の連結方向に沿って弾力的に伸縮する弾性駒９とを有している。使用時に弾性駒をバンド駒の連結方向に沿って伸縮させることができるので、バンド全体をバンド駒の連結方向に良好に伸縮させることができる。【選択図】図１
2014045926.tif 000002
【特許請求の範囲】
【請求項１】
バンド駒に連結駒をピン部材によって連結することにより、前記バンド駒を前記連結駒で順次連結したバンドであって、
前記バンド駒はその両側部に前記連結駒の一側部を前記ピン部材によって取り付けるための一対の駒取付部を有し、
前記バンド駒を順次連結する前記連結駒のうち、少なくとも１つの連結駒は、前記一対の駒取付部の一方に前記ピン部材によって前記バンド駒の連結方向に沿って移動可能に取り付けられた駒本体と、この駒本体に前記ピン部材によって取り付けられ、かつ前記バンド駒の連結方向に沿って弾力的に伸縮する弾性駒とを有していることを特徴とするバンド。
【請求項２】
請求項１に記載のバンドにおいて、前記駒本体の両側部には、前記一対の駒取付部の前記一方に前記駒本体の前記一側部が前記ピン部材によって取り付けられた際に、前記ピン部材が前記バンド駒の連結方向に沿って移動可能に挿入する長孔がそれぞれ設けられており、前記弾性駒の両側部には、前記ピン部材が挿入するピン挿入孔がそれぞれ設けられていることを特徴とするバンド。
【請求項３】
請求項１または請求項２に記載のバンドにおいて、前記弾性駒の中間部には、前記弾性駒を伸縮変形させ易くするための変形空間部が、前記バンド駒の連結方向に対して直交する方向に設けられていることを特徴とするバンド。
【請求項４】
請求項１〜請求項３のいずれかに記載のバンドにおいて、前記弾性駒の裏面には、通気用の凹凸部が形成されていることを特徴とするバンド。
【請求項５】
請求項１〜請求項４のいずれかに記載のバンドにおいて、前記駒本体の表面には、装飾用の開口窓部が設けられていることを特徴とするバンド。
【請求項６】
請求項５に記載のバンドにおいて、前記弾性駒の表面には、装飾部が前記駒本体の前記開口窓部に対応して設けられていることを特徴とするバンド。
【発明の詳細な説明】
【技術分野】
【０００１】
この発明は、バンドに関する。
【背景技術】
【０００２】
例えば、腕に取り付けて使用するバンドにおいては、特許文献１に記載されているように、バンド駒を弾性駒とメタル駒とで構成し、この弾性駒とメタル駒との間における一側部に連結駒の一側部を挿入させて配置する際に、連結駒のピン保持孔にピン部材を挿入し、このピン部材の両端部をメタル駒のピン保持孔と弾性駒のピン保持孔とに挿入すると、弾性駒とメタル駒とからなるバンド駒に連結駒が取り付けられることにより、バンド駒を連結駒で順次連結するように構成されたものが知られている。
【先行技術文献】
【特許文献】
【０００３】
【特許文献１】特開２００３−７９４１０号公報
【発明の概要】
【発明が解決しようとする課題】
【０００４】
しかしながら、このようなバンドでは、弾性駒とメタル駒とを有するバンド駒を連結駒で順次連結する構成であるから、腕に取り付けて使用する際に、弾性駒を腕に柔らかく接触させてフィットさせることができても、バンド全体がバンド駒の連結方向に弾力的に伸縮しないため、手首を曲げた際にバンド全体が突っ張ってしまい、腕になじまず、十分なフィット感が得られないという問題がある。
【０００５】
この発明が解決しようとする課題は、使用時に良好に伸縮してフィット感を向上させることができるバンドを提供することである。
【課題を解決するための手段】
【０００６】
この発明は、バンド駒に連結駒をピン部材によって連結することにより、前記バンド駒を前記連結駒で順次連結したバンドであって、前記バンド駒はその両側部に前記連結駒の一側部を前記ピン部材によって取り付けるための一対の駒取付部を有し、前記バンド駒を順次連結する前記連結駒のうち、少なくとも１つの連結駒は、前記一対の駒取付部の一方に前記ピン部材によって前記バンド駒の連結方向に沿って移動可能に取り付けられた駒本体と、この駒本体に前記ピン部材によって取り付けられ、かつ前記バンド駒の連結方向に沿って弾力的に伸縮する弾性駒とを有していることを特徴とするバンドである。
【発明の効果】
【０００７】
この発明によれば、使用時に連結駒の弾性駒をバンド駒の連結方向に沿って伸縮させることができるので、バンド駒に対して連結駒の駒本体をバンド駒の連結方向に沿って移動させることができる。このため、使用時にバンド駒の連結方向に負荷が加わっても、バンド全体を伸縮させることができるので、バンド全体が突っ張ったりせず、良好にフィットさせることができる。
【図面の簡単な説明】
【０００８】
【図１】この発明を腕時計のバンドに適用した一実施形態を示した要部の拡大斜視図である。
【図２】図１に示されたバンドのバンド駒およびピン部材を示した拡大斜視図である。
【図３】図１に示されたバンドの連結駒を示した拡大斜視図である。
【図４】図３に示された連結駒を分解して示した拡大斜視図である。
【図５】図４に示された連結駒を示した拡大側面図である。
【図６】図１に示されたバンドがバンド駒の連結方向に伸びた状態を示した要部の拡大斜視図である。
【図７】図４に示された連結駒の弾性駒がバンド駒の連結方向に伸びた状態を示した拡大斜視図である。
【図８】図４に示された連結駒の弾性駒の変形例を示した拡大斜視図である。
【発明を実施するための形態】
【０００９】
以下、図１〜図７を参照して、この発明を腕時計のバンドに適用した一実施形態について説明する。
このバンド１は、図１に示すように、腕時計を腕に取り付けるためのものであり、腕時計ケース２の両側部に設けられたバンド取付部２ａに取り付けられている。このバンド１は、バンド駒３と連結駒４とを有し、バンド駒３に連結駒４をピン部材５によって連結することにより、バンド駒３を連結駒４で順次連結するように構成されている。
【００１０】
バンド駒３は、ステンレスなどの金属からなり、図１および図２に示すように、全体が横向きのＨ字形状に形成されている。すなわち、このバンド駒３は、その両側部に連結駒４の一側部をピン部材５によって取り付けるための一対の駒取付部６が形成された構成になっている。この一対の駒取付部６は、バンド駒３の両側部にその上下および側方に開放されて形成された取付用の空間である。
【００１１】
この場合、一対の駒取付部６における互いに対向する各内壁面６ａには、図１および図２に示すように、ピン部材５の先端部がそれぞれ挿入するピン取付孔７が互いに対応して設けられている。また、バンド駒３に連結駒４を連結するピン部材５は、図２に示すように、ばね棒であり、駒取付部６の互いに対向する内壁面６ａ間に配置されるパイプ部５ａと、このパイプ部５ａの両端部からばね部材（図示せず）のばね力によって出没するピン部５ｂとを有している。
【００１２】
連結駒４は、図１および図３に示すように、バンド駒３における一対の駒取付部６の一方にピン部材５によってバンド駒３の連結方向に沿って（図１では長手方向）移動可能に取り付けられた駒本体８と、この駒本体８にピン部材５によって取り付けられ、かつバンド駒３の連結方向に沿って弾力的に伸縮する弾性駒９とを有している。
【００１３】
駒本体８は、図３〜図５に示すように、ステンレスなどの金属板からなり、この金属板の両側部を下側に折り曲げることにより、平板部８ａと両側の各側面部８ｂとを有するように構成されている。この駒本体８は、図１に示すように、バンド駒３の連結方向に位置する一側部がバンド駒３の駒取付部６内に配置され、その他側部が他のバンド駒３の駒取付部６内に配置されるように構成されている。
【００１４】
この場合、駒本体８は、図１に示すように、その一側部が駒取付部６内に配置された際に、両側の各側面部８ｂが駒取付部６の内壁面６ａにそれぞれ対面するように構成されている。この駒本体８の各側面部８ｂには、図３〜図５に示すように、ピン部材５が移動可能に挿入する長孔１０が、駒取付部６の内壁面６ａに設けられたピン取付孔７に対応してそれぞれ設けられている。
【００１５】
この長孔１０は、図３〜図５に示すように、バンド駒３の連結方向に沿ってピン部材５のパイプ部５ａの外径よりも十分に長く形成されている。これにより、駒本体８は、ピン部材５の先端部であるピン部５ｂがバンド駒３の駒取付部６のピン取付孔７に取り付けられた状態で、ピン部材５のパイプ部５ａが長孔１０内を相対的に移動することにより、バンド駒３の駒取付部６に対してバンド駒３の連結方向に移動するように構成されている。
【００１６】
弾性駒９は、図３〜図５に示すように、シリコーンゴムやウレタンゴムなどの弾性材料からなり、駒本体８の両側の各側面部８ａ間に配置されるように構成されている。すなわち、この弾性駒９は、駒本体８よりも少し小さい大きさに形成され、その両側部に設けられた一対の筒部９ａと、この一対の筒部９ａを連結する伸縮連結部９ｂとを有している。この場合、一対の筒部９ａには、ピン部材５のパイプ部５ａが密接して挿入するピン挿入孔１１が、駒本体８の各長孔１０に対応してそれぞれ設けられている。
【００１７】
この一対の筒部９ａは、図３〜図５に示すように、その各ピン挿入孔１１の中心がバンド駒３の連結方向に位置する各長孔１０の中心間の長さよりも短い間隔で形成されている。すなわち、一対の筒部９ａは、図３に示すように、その各ピン挿入孔１１の中心がバンド駒３の連結方向に位置する各長孔１０の互いに接近する端部間の長さとほぼ同じ長さの間隔で形成されている。
【００１８】
これにより、弾性駒９は、図３〜図５に示すように、駒本体８の両側の各側面部８ａ間に配置された状態で、一対の筒部９ａの各ピン挿入孔１１にピン部材５のパイプ部５ａがそれぞれガタツクことなく挿入され、このピン部材５のパイプ部５ａの両端部が駒本体８の各長孔１０内に挿入されると、各ピン部材５のパイプ部５ａがバンド駒３の連結方向に位置する各長孔１０の互いに接近する端部に弾力的に当接するように構成されている。
【００１９】
また、この弾性駒９は、図６および図７に示すように、バンド駒３に対して駒本体８がバンド駒３の連結方向に引っ張られた際に、弾性駒９の伸縮連結部９ｂがバンド駒３の連結方向に弾力的に伸びて、各ピン部材５のパイプ部５ａを各長孔１０内において互いに離れる方向に移動させるように構成されている。
【００２０】
この場合、弾性駒９の中間部に位置する伸縮連結部９ｂには、図４および図５に示すように、弾性駒９を伸縮変形させるための変形空間部１２が設けられている。この変形空間部１２は、バンド駒３の連結方向に対して直交する方向に形成された貫通孔であり、断面が四角形の４辺を内側に向けて円弧状に窪ませた形状に形成されている。これにより、この変形空間部１２は、弾性駒９にバンド駒３の連結方向に向けて負荷が加わった際に、図４および図６に示すように、弾性駒９の伸縮連結部９ｂを弾力的に伸縮させ易くするように構成されている。
【００２１】
また、この弾性駒９の裏面（図４では下面）には、図４および図５に示すように、通気用の凹凸部１３が設けられている。この凹凸部１３は、バンド駒３の連結方向に対して直交する方向に形成された半円弧状の複数の突条である。これにより、この凹凸部１３は、バンド１を腕に取り付けた際に、複数の突条が腕の皮膚に接触して、複数の突条間に空気が流れる通気路を形成するように構成されている。
【００２２】
また、この弾性駒９の表面（図４では上面）には、図４および図５に示すように、装飾部１４が設けられている。この装飾部１４は、バンド駒３の連結方向に対して直交する方向に形成された半円弧状の複数の突条である。この場合、駒本体８の平板部８ａには、弾性駒９の表面を露呈させるための装飾用の開口窓部１５が設けられている。これにより、装飾部１４は、図１および図３に示すように、駒本体８の開口窓部１５に対応して配置されることにより、駒本体８の上面側に露呈してバンド１を装飾するように構成されている。
【００２３】
ところで、バンド駒３に連結駒４を連結するピン部材５は、図３に示すように、駒本体８の両側に位置する各側面部８ｂ間に弾性駒９を配置して、駒本体８の各長孔１０に弾性駒９の各ピン挿入孔１１を対応させた状態で、駒本体８の各長孔１０と弾性駒９の各ピン挿入孔１１とにパイプ部５ａが挿入するように構成されている。
【００２４】
また、このピン部材５は、図１および図２に示すように、駒本体８内に弾性駒９がパイプ部５ａによって連結された状態で、駒本体８と弾性駒９とをバンド駒３における一対の駒取付部６の一方に取り付ける際に、両端部のピン部５ｂをパイプ部５ａ内に押し込んで、駒本体８と弾性駒９とを駒取付部６内に配置させるように構成されている。
【００２５】
さらに、このピン部材５は、図１および図２に示すように、両端部のピン部５ｂをパイプ部５ａ内に押し込んで、駒本体８と弾性駒９とを駒取付部６内に配置させた際に、両端部のピン部５ｂを駒取付部６の内壁面６ａのピン取付孔７に対応させると、両端部のピン部５ｂがばね部材（図示せず）のばね力によってパイプ部５ａ内から押し出されて駒取付部６のピン取付孔７に挿入するように構成されている。
【００２６】
次に、このような腕時計のバンド１の作用について説明する。
バンド駒３と連結駒４とを連結する場合には、図３に示すように、まず、駒本体８の両側に位置する各側面部８ｂ間に弾性駒９を配置して、駒本体８の各長孔１０に弾性駒９の各ピン挿入孔１１を対応させる。この状態で、駒本体８の各長孔１０と弾性駒９の各ピン挿入孔１１とにピン部材５を挿入させてピン部材５のパイプ部５ａを配置する。これにより、駒本体８に弾性駒９がバンド駒３の連結方向に移動可能に取り付けられる。
【００２７】
そして、駒本体８と弾性駒９とからなる連結駒４をバンド駒３における一対の駒取付部６の一方に取り付ける。このときには、ピン部材５の両端側のピン部５ｂが駒本体８の各長孔１０からそれぞれ突出しているので、この突出したピン部５ｂをパイプ部５ａ内に押し込んで、連結駒４を駒取付部６内に配置し、両端部のピン部５ｂを駒取付部６の内壁面６ａのピン取付孔７に対応させる。
【００２８】
すると、両端部のピン部５ｂがばね部材（図示せず）のばね力によってパイプ部５ａ内から押し出されて駒取付部６のピン取付孔７に挿入する。これにより、駒本体８と弾性駒９とがピン部材５によってバンド駒３の駒取付部６内に取り付けられ、連結駒４がバンド駒３に連結される。この連結作業を順次繰り返すことにより、図１に示すように、バンド駒３が連結駒４で順次連結されて、バンド１が構成される。
【００２９】
このように構成されたバンド１は、図３および図４に示すように、連結駒４の駒本体８の両側に位置する各側面部８ｂ間に配置された弾性駒９が弾力的に収縮していることにより、弾性駒９の各ピン挿入孔１１に挿入された各ピン部材５が互いに接近している。このため、弾性駒９の各ピン挿入孔１１に挿入された各ピン部材５のパイプ部５ａが駒本体８の各長孔１０内における互いに接近する端部に弾力的に当接している。
【００３０】
この状態では、図１に示すように、弾性駒９の弾力的な収縮によって互いに隣接するバンド駒３同士が互いに引き寄せられるので、バンド１全体が収縮して短くなっている。この収縮したバンド１を腕に密着させて腕時計を腕に取り付ける。このときには、弾性駒９の裏面に設けられた通気用の凹凸部１３が腕の皮膚に接触し、この凹凸部１３によって弾性駒９と腕の皮膚との間に通気路が形成される。このため、この通気路によって腕の汗を逃がすことができるので、腕が汗で蒸れることがなく、腕を爽やかな状態に保つことができる。
【００３１】
また、バンド１を腕に取り付けた状態で、手首を曲げたりして、駒本体８がバンド駒３に対してその連結方向に引っ張られた際には、図６および図７に示すように、弾性駒９の伸縮連結部９ｂが弾力的に伸びて、各ピン部材５のパイプ部５ａが各長孔１０内を互いに離れる方向に移動する。これにより、バンド１全体が伸びるので、バンド１が突っ張ることがなく、バンド１を腕にフィットさせた状態で、良好に手首を曲げることができる。
【００３２】
このときには、弾性駒９の中間部に位置する伸縮連結部９ｂに変形空間部１２が設けられているので、この変形空間部１２によって弾性駒９の伸縮連結部９ｂを容易に変形させることができるので、弾性駒９を手首の曲げ動作に応じて伸縮自在に変形させることができる。このため、バンド１全体を円滑に伸ばすことができるので、より一層、バンド１を腕にフィットさせることができる。
【００３３】
また、バンド駒３の連結方向における引っ張り力が解除されると、図１および図３に示すように、弾性駒９の伸縮連結部９ｂが弾力的に収縮して、各ピン部材５が各長孔１０内を互いに接近する方向に移動する。これにより、互いに隣接するバンド駒３同士が接近して、バンド１全体を収縮させて短くするので、バンド１全体が腕に対して緩むことがなく、バンド１を常に腕にフィットさせることができる。
【００３４】
このように、このバンド１によれば、バンド駒３に連結駒４をピン部材５によって連結することにより、バンド駒３を連結駒４で順次連結したものであり、バンド駒３の両側部には、連結駒４の一側部をピン部材５によって取り付けるための一対の駒取付部６が設けられており、連結駒４は、一対の駒取付部６の一方にピン部材６によってバンド駒３の連結方向に沿って移動可能に取り付けられた駒本体８と、この駒本体８にピン部材５によって取り付けられ、かつバンド駒３の連結方向に沿って弾力的に伸縮する弾性駒９とを有していることにより、使用時にバンド駒３の連結方向に良好に伸縮してフィット感を向上させることができる。
【００３５】
すなわち、このバンド１では、腕に取り付けて使用する際に、連結駒４の弾性駒９をバンド駒３の連結方向に沿って伸縮させることができるので、バンド駒３に対して連結駒４の駒本体８をバンド駒３の連結方向に沿って移動させることができる。このため、使用時にバンド駒３の連結方向に負荷が加わっても、バンド１全体を伸縮させることができるので、バンド１全体が突っ張ったりせず、バンド１を常に腕に良好な状態でフィットさせることができる。
【００３６】
また、このバンド１では、バンド駒３がステンレスなどの金属で形成され、連結駒４の駒本体８もステンレスなどの金属で形成されていることにより、この金属製のバンド駒３と金属製の駒本体８とがバンド１の表面に露呈するので、バンド１全体を金属調に見せることができ、これにより高級感のあるデザインにすることができる。さらに、このバンド１では、連結駒４の弾性駒９を腕に接触させることができるので、腕に対して柔らかい感触を与えることができる。
【００３７】
この場合、駒本体８の両側部には、一対の駒取付部６の一方に駒本体８の一側部がピン部材５によって取り付けられた際に、バンド駒３の連結方向に沿ってピン部材５が移動可能に挿入する長孔１０がそれぞれ設けられており、弾性駒９の両側部には、ピン部材５が挿入するピン挿入孔１１がそれぞれ設けられていることにより、弾性駒９を駒本体８に対して伸縮可能に取り付けることができる。
【００３８】
すなわち、このバンド１では、駒本体８に弾性駒９を配置させて、駒本体８の各長孔１０に弾性駒９の各ピン挿入孔１１を対応させ、この状態で駒本体８の各長孔１０と弾性駒９の各ピン挿入孔１１とにピン部材５を挿入させることができるので、駒本体８の各長孔１０内において各ピン部材５を移動させることができ、これにより弾性駒９を駒本体８に対して伸縮可能な状態で良好に取り付けることができる。
【００３９】
また、このバンド１では、駒本体８と弾性駒９とをピン部材５で取り付けた状態で、連結駒４の一側部をバンド駒３の駒取付部６に配置して、駒本体８の各長孔１０と弾性駒９の各ピン挿入孔１１とに挿入されたピン部材５の両端部を駒取付部６のピン取付孔７に挿入させることにより、連結駒４をバンド駒３に対して伸縮自在に取り付けることができ、これを順次繰り返すことによりバンド駒３を連結駒４によって順次伸縮自在な状態で連結することができる。
【００４０】
また、このバンド１では、弾性駒９の中間部である伸縮連結部９ｂに弾性駒９を伸縮変形させ易くするための変形空間部１２が設けられていることにより、バンド駒３の連結方向に負荷が加わった際に、その負荷に応じて変形空間部１２が弾性駒９を変形させ易くすることができるので、弾性駒９をバンド駒３の連結方向に良好に伸縮させることができ、これによりバンド１を常に腕に良好な状態でフィットさせることができる。
【００４１】
この場合、変形空間部１２は、バンド駒３の連結方向に対して直交する方向に形成された貫通孔であり、断面が四角形の４辺を内側に向けて円弧状に窪ませた形状に形成されているので、弾性駒９の伸縮連結部９ｂを弾力的に伸縮させ易くすることができ、これによりバンド駒３の連結方向に負荷が加わった際に、その負荷に応じて弾性駒９をバンド駒３の連結方向に良好に伸縮させることができる。
【００４２】
また、このバンド１では、弾性駒９の裏面に通気用の凹凸部１３が形成されていることにより、バンド１を腕に取り付けた際に、通気用の凹凸部１３によって腕の皮膚と弾性駒９との間に通気路を形成することができる。このため、この通気路によって腕の汗を逃がすことができるので、腕が汗で蒸れることがなく、腕を爽やかな状態に保つことができる。
【００４３】
さらに、このバンド１では、駒本体８の表面である平板部８ａに装飾用の開口窓部１５が設けられていることにより、この開口窓部１５を通して弾性駒９の表面を露呈させることができる。この場合、弾性駒９の表面には、装飾部１４が駒本体８の開口窓部１５に対応して設けられていることにより、この弾性駒９の装飾部１４を露呈させることができるので、この装飾部１４によってバンド１全体を装飾することができる。
【００４４】
この場合、バンド１がバンド駒３の連結方向に沿って伸縮する際には、弾性駒９もバンド駒３の連結方向に沿って伸縮することにより、この弾性駒９の伸縮変形に伴って弾性駒９の装飾部１４を伸縮変形させることができる。このため、バンド１全体の装飾状態を変化させることができるので、変化に富んだ装飾効果を得ることができ、より一層、デザイン性の高いものを提供することができる。
【００４５】
なお、上述した実施形態では、弾性駒９の伸縮連結部９ｂに形成された変形空間部１２が、断面四角形の４辺を内側に向けて円弧状に窪ました断面形状の貫通孔に形成されている場合について述べたが、これに限らず、例えば図８に示す変形例のように、断面円形状の２つの貫通孔２０ａを連結溝２０ｂで連結すると共に、２つの貫通孔２０ａに切込溝２０ｃをバンド駒３の連結方向に向けて形成することにより、変形空間部２０を形成した構成であっても良い。また、変形空間部は、これらに限らず、弾性駒９を変形し易い形状であれば、どのような形状であっても良い。
【００４６】
また、上述した実施形態では、弾性駒９の裏面に設けられた通気用の凹凸部１３がバンド駒３の連結方向に対して直交する方向に形成された半円弧状の複数の突条である場合について述べたが、これに限らず、例えば小径の半球状の突起部を多数配列させて形成した構成であっても良く、またこれに限らず、凹凸部１３の形状は、通気路を形成する形状であれば、どのような形状であっても良い。
【００４７】
また、上述した実施形態では、弾性駒９の表面に設けられた装飾部１４がバンド駒３の連結方向に対して直交する方向に形成された半円弧状の複数の突条である場合について述べたが、これに限らず、例えば小径の半球状の突起部を多数配列させて形成した構成であっても良く、また必ずしも装飾部は、凹凸形状である必要はなく、印刷によって形成された模様などであっても良い。
【００４８】
さらに、上述した実施形態では、駒本体８の表面である平板部８ａに開口窓部１５を設けた場合について述べたが、必ずしも開口窓部１５を設ける必要はない。この場合には、弾性駒９の表面に装飾部１４を設ける必要はなく、駒本体８の表面である平板部８ａに装飾印刷を施しても良い。
【００４９】
また、上述した実施形態では、ピン部材５が弾性駒９のピン挿入孔１１に挿入するパイプ部５ａと、このパイプ部５ａの両端部からばね部材（図示せず）のばね力によって出没するピン部５ｂとを有するばね棒である場合について述べたが、これに限らず、金属製の単純な丸棒であっても良い。この場合には、バンド駒３の駒取付部６の内壁面６ａに弾性駒９のピン挿入孔１１と同じ大きさのピン取付孔を形成すれば良い。
【００５０】
さらに、上述した実施形態では、バンド駒３を順次連結するすべての連結駒４を駒本体８と弾性駒９とで構成した場合について述べたが、これに限らず、例えばバンド駒３を順次連結する連結駒４のうち、少なくとも１つの連結駒４のみを駒本体８と弾性駒９とで構成し、他の連結駒を伸縮しない構成にしても良い。
【００５１】
なおまた、上述した実施形態では、腕時計のバンド１に適用した場合について述べたが、必ずしも腕時計である必要はなく、例えばブレスレットとして用いても良く、またバッグなどのバンドとして用いても良い。
【００５２】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５３】
（付記）
請求項１に記載の発明は、バンド駒に連結駒をピン部材によって連結することにより、前記バンド駒を前記連結駒で順次連結したバンドであって、前記バンド駒はその両側部に前記連結駒の一側部を前記ピン部材によって取り付けるための一対の駒取付部を有し、前記バンド駒を順次連結する前記連結駒のうち、少なくとも１つの連結駒は、前記一対の駒取付部の一方に前記ピン部材によって前記バンド駒の連結方向に沿って移動可能に取り付けられた駒本体と、この駒本体に前記ピン部材によって取り付けられ、かつ前記バンド駒の連結方向に沿って弾力的に伸縮する弾性駒とを有していることを特徴とするバンドである。
【００５４】
請求項２に記載の発明は、請求項１に記載のバンドにおいて、前記駒本体の両側部には、前記一対の駒取付部の前記一方に前記駒本体の前記一側部が前記ピン部材によって取り付けられた際に、前記ピン部材が前記バンド駒の連結方向に沿って移動可能に挿入する長孔がそれぞれ設けられており、前記弾性駒の両側部には、前記ピン部材が挿入するピン挿入孔がそれぞれ設けられていることを特徴とするバンドである。
【００５５】
請求項３に記載の発明は、請求項１または請求項２に記載のバンドにおいて、前記弾性駒の中間部には、前記弾性駒を伸縮変形させ易くするための変形空間部が、前記バンド駒の連結方向に対して直交する方向に設けられていることを特徴とするバンドである。
【００５６】
請求項４に記載の発明は、請求項１〜請求項３のいずれかに記載のバンドにおいて、前記弾性駒の裏面には、通気用の凹凸部が形成されていることを特徴とするバンドである。
【００５７】
請求項５に記載の発明は、請求項１〜請求項４のいずれかに記載のバンドにおいて、前記駒本体の表面には、装飾用の開口窓部が設けられていることを特徴とするバンドである。
【００５８】
請求項６に記載の発明は、請求項５に記載のバンドにおいて、前記弾性駒の表面には、装飾部が前記駒本体の前記開口窓部に対応して設けられていることを特徴とするバンドである。
【符号の説明】
【００５９】
１  バンド
２  腕時計ケース
３  バンド駒
４  連結駒
５  ピン部材
６  駒取付部
７  ピン取付孔
８  駒本体
９  弾性駒
１０  長孔
１１  ピン挿入孔
１２、２０  変形空間部
１３  通気用の凹凸部
１４  装飾部
１５  開口窓部
【図１】
2014045926.tif 000003
【図２】
2014045926.tif 000004
【図３】
2014045926.tif 000005
【図４】
2014045926.tif 000006
【図５】
2014045926.tif 000007
【図６】
2014045926.tif 000008
【図７】
2014045926.tif 000009
【図８】
2014045926.tif 000010